(57)【要約】【課題】  語学学習や暗記学習を効果的に継続して行うことができる学習システムを提供する。【解決手段】  ユーザ４の使用する端末装置６と、端末装置６にネットワーク８を介して通信接続された管理装置１０と、を備えた学習システム２である。管理装置１０は、語学教材を音声録音した複数の音声データを記憶するための第１記憶手段２６と、複数の背景音楽データを記憶するための第２記憶手段３０と、第１及び第２記憶手段２６，３０にそれぞれ記憶された複数の音声データ及び複数の背景音楽データのうち特定の音声データ及び特定の背景音楽データを選択するデータ選択手段３２と、選択された特定の音声データ及び特定の背景音楽データを合成して語学教材データを作成する語学教材データ作成手段３４と、を備えている。【選択図】  図２
2010128284.tif 000002
【特許請求の範囲】
【請求項１】
ユーザの使用する端末装置と、前記端末装置にネットワークを介して通信接続された管理装置と、を備え、
前記管理装置は、教材を音声録音した複数の音声データを記憶するための第１記憶手段と、複数の背景音楽データを記憶するための第２記憶手段と、前記第１及び第２記憶手段にそれぞれ記憶された複数の音声データ及び複数の背景音楽データのうち特定の音声データ及び特定の背景音楽データを選択するデータ選択手段と、選択された特定の音声データ及び特定の背景音楽データを合成して教材データを作成する教材データ作成手段と、を備え、
前記ユーザが前記端末装置を用いて特定の音声データ及び特定の背景音楽データを選択操作すると、前記データ選択手段は、前記第１記憶手段に記憶された複数の音声データのうち特定の音声データを選択するとともに、前記第２記憶手段に記憶された複数の背景音楽データのうち特定の背景音楽データを選択し、前記教材データ作成手段は、選択された特定の音声データ及び特定の背景音楽データを合成して教材データを作成することを特徴とする学習システム。
【請求項２】
ユーザの使用する端末装置と、背景音楽データを配信する配信サーバ装置と、前記端末装置及び前記配信サーバ装置にネットワークを介して通信接続された管理装置と、を備え、
前記配信サーバ装置には複数の背景音楽データが記憶され、前記管理装置は、教材を音声録音した複数の音声データを記憶するための記憶手段と、前記記憶手段に記憶された複数の音声データのうち特定の音声データを選択するデータ選択手段と、前記配信サーバ装置に対して複数の背景音楽データのうち特定の背景音楽データを配信要求する配信要求手段と、選択された特定の音声データ及び配信された特定の背景音楽データを合成して教材データを作成する教材データ作成手段と、を備え、
前記ユーザが前記端末装置を用いて特定の音声データ及び特定の背景音楽データを選択操作すると、前記データ選択手段は、前記記憶手段に記憶された複数の音声データのうち特定の音声データを選択し、前記配信要求手段は、前記配信サーバ装置に対して複数の背景音楽データのうち特定の背景音楽データを配信要求し、これにより前記配信サーバ装置からの特定の背景音楽データが前記ネットワークを介して前記管理装置に配信され、前記教材データ作成手段は、選択された特定の音声データ及び配信された特定の背景音楽データを合成して教材データを作成することを特徴とする学習システム。
【請求項３】
前記管理装置は、作成された教材データを前記ネットワークを介して前記端末装置に送信するための教材データ送信手段を更に備えることを特徴とする請求項１又は２に記載の学習システム。
【発明の詳細な説明】
【技術分野】
【０００１】
本発明は、例えば英語やフランス語等の語学学習及び単語や歴史の年号等を暗記する暗記学習を支援するための学習システムに関する。
【背景技術】
【０００２】
従来より、例えば英語やフランス語等の語学の学習をするための語学教材をネットワークを介してユーザに提供する学習システムが知られている（例えば、特許文献１参照）。この学習システムでは、ユーザの使用するユーザ側端末装置と、ユーザ側端末装置にネットワークを介して通信接続された管理側端末装置とが設けられている。管理側端末装置は、語学教材（例えば、英会話教材など）が音声録音された語学教材データを記憶するための記憶手段と、記憶手段に記憶された語学教材データをネットワークを介してユーザ側端末装置に送信するための語学教材データ送信手段と、を有している。
【０００３】
ユーザがユーザ側端末装置を用いて語学教材の送信要求を行うと、語学教材データ送信手段は、記憶手段に記憶された語学教材データをネットワークを介してユーザ側端末装置に送信する。これによりユーザは、語学教材データに記憶された音声を例えばパソコンや携帯型音楽プレーヤなどで再生し、再生された音声を何回も繰り返しヒアリングしたり、再生された音声を真似て発声練習したりすることにより、語学の学習を行うことができる。
【０００４】
【特許文献１】特開２０００−３３０４６３号公報
【発明の開示】
【発明が解決しようとする課題】
【０００５】
しかしながら、上述のような従来の学習システムでは、語学教材データには例えば英会話のやり取りやナレーションなどの音声のみが記憶されているので、再生された音声を何回も繰り返しヒアリングするのにはかなりの集中力及び忍耐力が必要であり、語学の学習を効果的に継続して行うことができないという問題がある。
【０００６】
本発明の目的は、語学学習や暗記学習を効果的に継続して行うことができる学習システムを提供することである。
【課題を解決するための手段】
【０００７】
本発明の請求項１に記載の学習システムでは、ユーザの使用する端末装置と、前記端末装置にネットワークを介して通信接続された管理装置と、を備え、
前記管理装置は、教材を音声録音した複数の音声データを記憶するための第１記憶手段と、複数の背景音楽データを記憶するための第２記憶手段と、前記第１及び第２記憶手段にそれぞれ記憶された複数の音声データ及び複数の背景音楽データのうち特定の音声データ及び特定の背景音楽データを選択するデータ選択手段と、選択された特定の音声データ及び特定の背景音楽データを合成して教材データを作成する教材データ作成手段と、を備え、
前記ユーザが前記端末装置を用いて特定の音声データ及び特定の背景音楽データを選択操作すると、前記データ選択手段は、前記第１記憶手段に記憶された複数の音声データのうち特定の音声データを選択するとともに、前記第２記憶手段に記憶された複数の背景音楽データのうち特定の背景音楽データを選択し、前記教材データ作成手段は、選択された特定の音声データ及び特定の背景音楽データを合成して教材データを作成することを特徴とする。
【０００８】
また、本発明の請求項２に記載の学習システムでは、ユーザの使用する端末装置と、背景音楽データを配信する配信サーバ装置と、前記端末装置及び前記配信サーバ装置にネットワークを介して通信接続された管理装置と、を備え、
前記配信サーバ装置には複数の背景音楽データが記憶され、前記管理装置は、教材を音声録音した複数の音声データを記憶するための記憶手段と、前記記憶手段に記憶された複数の音声データのうち特定の音声データを選択するデータ選択手段と、前記配信サーバ装置に対して複数の背景音楽データのうち特定の背景音楽データを配信要求する配信要求手段と、選択された特定の音声データ及び配信された特定の背景音楽データを合成して教材データを作成する教材データ作成手段と、を備え、
前記ユーザが前記端末装置を用いて特定の音声データ及び特定の背景音楽データを選択操作すると、前記データ選択手段は、前記記憶手段に記憶された複数の音声データのうち特定の音声データを選択し、前記配信要求手段は、前記配信サーバ装置に対して複数の背景音楽データのうち特定の背景音楽データを配信要求し、これにより前記配信サーバ装置からの特定の背景音楽データが前記ネットワークを介して前記管理装置に配信され、前記教材データ作成手段は、選択された特定の音声データ及び配信された特定の背景音楽データを合成して教材データを作成することを特徴とする。
【０００９】
また、本発明の請求項３に記載の学習システムでは、前記管理装置は、作成された教材データを前記ネットワークを介して前記端末装置に送信するための教材データ送信手段を更に備えることを特徴とする。
【発明の効果】
【００１０】
本発明の請求項１に記載の学習システムによれば、教材データ作成手段は、選択された特定の音声データ（例えば、英会話等の語学教材が音声録音された音声データや、単語や歴史の年号等の暗記用教材が音声録音された音声データなど）及び特定の背景音楽データを合成して教材データを作成するので、教材データを例えばパソコンや携帯型音楽再生プレーヤで再生すると、音声データに記憶された音声が再生されるとともに、背景音楽データに記憶された背景音楽がＢＧＭとして再生される。従って、ユーザが自分の好みの音楽を背景音楽データとして選択することによって、ユーザの好みの音楽を聴きながら例えば英会話のヒアリングや単語の暗記などを行うことができる。自分の好みの音楽を聴くと脳がリラックスし、このように脳がリラックスした状態で例えば日常英会話のヒアリングや単語の暗記などを行うことによって、効果的に継続して語学学習や暗記学習を行うことできる。
【００１１】
また、本発明の請求項２に記載の学習システムによれば、教材データ作成手段は、選択された特定の音声データ及び配信された特定の背景音楽データを合成して教材データを作成するので、上述と同様に、効果的に継続して語学学習や暗記学習を行うことできる。また、例えば音楽配信業者などによって管理、運営される配信サーバ装置には多数（例えば、数万〜数十万程度）の背景音楽データが記憶され、この配信サーバ装置からの特定の背景音楽データがネットワークを介して管理装置に配信されるので、ユーザによる背景音楽データの選択の幅を拡げることができる。
【００１２】
また、本発明の請求項３に記載の学習システムによれば、管理装置は、作成された教材データをネットワークを介して端末装置に送信するための教材データ送信手段を更に備えるので、ユーザは教材データをオンラインで容易に入手することができる。
【発明を実施するための最良の形態】
【００１３】
以下、添付図面を参照して、本発明に従う学習システムの一実施形態について説明する。図１は、本発明の一実施形態による学習システムを示す概念図であり、図２は、図１の学習システムの構成を示すブロック図であり、図３は、語学教材データの構成を説明するための図であり、図４は、図１の学習システムの動作の流れを示すフローチャートである。
【００１４】
図１及び図２を参照して、図示の学習システム２は、ユーザ４（語学学習者）の使用する端末装置６と、端末装置６にネットワーク８（例えば、インターネット回線）を介して通信接続された管理装置１０と、を備えている。以下、この学習システム２の構成について詳細に説明する。
【００１５】
端末装置６は、各種処理を実行するためのパソコン１２と、各種処理命令などを入力操作するための入力手段１４と、各種データなどを表示するための表示手段１６と、各種データなどをネットワーク８を介して管理装置１０との間で相互に送受信するための通信手段１８と、を備えている。入力手段１４は例えばマウスやキーボードなどから構成され、表示手段１６は例えばＣＲＴや液晶モニタなどから構成されている。
【００１６】
管理装置１０は、各種データを記憶するための管理サーバ装置２０と、各種処理を実行するための管理用コンピュータ２２と、を備えており、システム管理会社２４によって管理、運営されている。
【００１７】
管理サーバ装置２０は、音声データベース２６（第１記憶手段を構成する）、テキストデータベース２８及び背景音楽データベース３０（第２記憶手段を構成する）を有している。音声データベース２６には、種々の語学教材を音声録音した複数の音声データＶＤ１〜ＶＤ３が記憶されている。本実施形態では、音声データＶＤ１は、日常英会話・初級編の語学教材が音声録音されたデータから構成され、音声データＶＤ２は、日常英会話・上級編の語学教材が音声録音されたデータから構成され、また音声データＶＤ３は、ビジネス英会話の語学教材が音声録音されたデータから構成されている。
【００１８】
テキストデータベース２８には、音声データベース２６に記憶された複数の音声データＶＤ１〜ＶＤ３にそれぞれ対応する複数のテキストデータＴＤ１〜ＴＤ３が例えばＰＤＦファイル形式で記憶されている。本実施形態では、テキストデータＴＤ１は、日常英会話・初級編の語学教材のテキストが収録されたデータから構成され、テキストデータＴＤ２は、日常英会話・上級編の語学教材のテキストが収録されたデータから構成され、またテキストデータＴＤ３は、ビジネス英会話の語学教材のテキストが収録されたデータから構成されている。
【００１９】
また、背景音楽データベース３０には、種々のジャンルのＢＧＭ楽曲を録音した複数の背景音楽データＭＤ１〜ＭＤ３が記憶されている。本実施形態では、背景音楽データＭＤ１は、クラシック音楽の楽曲が複数収録されたデータから構成され、背景音楽データＭＤ２は、ポップスの楽曲が複数収録されたデータから構成され、また背景音楽データＭＤ３は、ジャズの楽曲が複数収録されたデータから構成されている。
【００２０】
管理用コンピュータ２２は、データ選択手段３２、語学教材データ作成手段３４（教材データ作成手段を構成する）及びデータ送信手段３６を有している。データ選択手段３２は、テキストデータベース２８に記憶された複数のテキストデータＴＤ１〜ＴＤ３のうち特定のテキストデータを選択するとともに、音声データベース２６に記憶された複数の音声データＶＤ１〜ＶＤ３のうち特定の音声データを選択し、また背景音楽データベース３０に記憶された複数の背景音楽データＭＤ１〜ＭＤ３のうち特定の背景音楽データを選択する。
【００２１】
語学教材データ作成手段３４は、データ選択手段３２により選択された特定の音声データ及び特定の背景音楽データを合成して語学教材データ（教材データを構成する）を作成する。作成された語学教材データを例えばパソコンや携帯型音楽プレーヤなどで再生すると、特定の音声データ及び特定の背景音楽データが同時に再生される。例えば、図３に示すように、音声データＶＤ１及び背景音楽データＭＤ２を合成して語学教材データが作成された場合には、語学教材データを再生すると、日常英会話のやり取りやナレーションなどが録音された音声データＶＤ１の音声トラック１〜１０が連続的に再生されるとともに、複数のポップスの楽曲が録音された背景音楽データＭＤ２の楽曲トラック１〜１０が連続的にＢＧＭとして再生される。
【００２２】
データ送信手段３６は、語学教材データ作成手段３４により作成された語学教材データ及びこれに対応するテキストデータをネットワーク８を介して端末装置６に送信する。例えば、音声データＶＤ１及び背景音楽データＭＤ２を合成して語学教材データが作成された場合には、データ送信手段３６は、語学教材データと、音声データＶＤ１に対応するテキストデータＴＤ１とをネットワーク８を介して端末装置６に送信する。
【００２３】
次に、図４をも参照して、本実施形態の学習システム２の動作の流れについて説明する。まず、ユーザ４は、端末装置６を用いてシステム管理会社２４のホームページにアクセスし、入力手段１４を用いてユーザ４の個人情報データ（例えば、氏名や住所、電子メールアドレスなど）を入力することにより、ウェブ上で学習システム２の利用申し込みを行う（ステップＳ１、Ｓ２）。利用申し込みが完了すると、ユーザ４に対してＩＤ及びパスワードが発行され、これらＩＤ及びパスワードは、ユーザ４に例えば電子メールなどにより通知される。
【００２４】
その後、ユーザ４は、端末装置６を用いてシステム管理会社２４のホームページにアクセスし、ＩＤ及びパスワードを入力してログインすると、語学教材の申し込みページ（図示せず）がブラウザ上に表示される。この申し込みページには、語学教材の選択欄及び背景音楽の選択欄が表示される。語学教材の選択欄では、種々の語学教材、本実施形態では日常英会話・初級編、日常英会話・上級編及びビジネス英会話が選択可能となっている。また、背景音楽の選択欄では、種々の背景音楽、本実施形態ではクラシック音楽、ポップス及びジャズが選択可能となっている。
【００２５】
ユーザ４が端末装置６を用いて、例えば、語学教材の選択欄より日常英会話・初級編の語学教材を選択操作するとともに、背景音楽の選択欄よりポップスの背景音楽を選択操作すると（ステップＳ３）、管理装置１０のデータ選択手段３２は、音声データベース２６に記憶された音声データＶＤ１と、テキストデータベース２８に記憶されたテキストデータＴＤ１と、背景音楽データベース３０に記憶された背景音楽データＭＤ２と、を選択する（ステップＳ４）。語学教材データ作成手段３４は、データ選択手段３２により選択された音声データＶＤ１及び背景音楽データＭＤ２を合成して語学教材データを作成する（ステップＳ５）。データ送信手段３６は、このように作成された語学教材データ及びテキストデータＴＤ１をネットワーク８を介して端末装置６に送信する（ステップＳ６）。
【００２６】
ユーザ４は、送信されたテキストデータＴＤ１をプリンタ（図示せず）を用いてプリントアウトするとともに、送信された語学教材データをパソコン１２にインストールされた音楽再生ソフトにより再生する。あるいは、語学教材データをパソコン１２から携帯型音楽プレーヤ（図示せず）に転送し、携帯型音楽プレーヤにより再生するようにしてもよい。
【００２７】
語学教材データを再生すると、日常英会話のやり取りやナレーションなどが録音された音声データＶＤ１の音声トラック１〜１０が連続的に再生されるとともに、複数のポップスの楽曲が録音された背景音楽データＭＤ１の楽曲トラック１〜１０が連続的にＢＧＭとして再生される。ユーザ４は、プリントアウトしたテキストを見ながら、再生された音声を何回も繰り返しヒアリングしたり、再生された音声を真似て発声練習したりすることにより、語学の学習を行うことができる。
【００２８】
本実施形態の学習システム２では、ユーザ４が自分の好みの音楽を背景音楽として選択することによって、ユーザ４の好みの音楽を聴きながら例えば日常英会話のヒアリングなどを行うことができる。自分の好みの音楽を聴くと脳がリラックスし、このように脳がリラックスした状態で例えば日常英会話のヒアリングなどを行うことによって、効果的に継続して語学の学習を行うことできる。
【００２９】
なお、本実施形態では、学習システム２を英語の学習に適用したが、これに限られず、ドイツ語やフランス語、韓国語、日本語などの種々の言語の学習に適用することができる。
【００３０】
また、本実施形態では、学習システム２を語学の学習に適用したが、例えば単語や歴史の年号、百人一首、法律条文などをヒアリングして暗記する暗記学習にも適用することができる。かかる場合には、音声データには例えば単語や歴史の年号、百人一首、法律条文などの暗記用教材が音声録音されるようになり、教材データを再生して音声を何回も繰り返しヒアリングすることにより、上述と同様に効果的に継続して暗記学習を行うことができる。
【００３１】
また、本実施形態では、管理装置１０はシステム管理会社２４によって管理、運営されるように構成したが、例えば音楽配信業者によって管理、運営されるように構成してもよい。
【００３２】
次に、図５〜図７を参照して、学習システムの他の実施形態について説明する。図５は、本発明の他の実施形態による学習システムを示す概念図であり、図６は、図５の学習システムの構成を示すブロック図であり、図７は、図５の学習システムの動作の流れを示すフローチャートである。本実施形態において、上記実施形態の構成要素と実質上同一の構成要素には同一の符号を付して、その説明を省略する。
【００３３】
図５及び図６を参照して、本実施形態の学習システム２Ａでは、背景音楽データを配信する配信サーバ装置３８がネットワーク８を介して端末装置６及び管理装置１０Ａに通信接続されている。
【００３４】
配信サーバ装置３８は、複数の背景音楽データＭＤ１〜ＭＤ３が記憶されたデータベース４０と、背景音楽データの配信を制御する制御部４２と、を備えており、音楽配信業者４３により管理、運営されている。なお、本実施形態では、説明の都合上、データベース４０には３つの背景音楽データＭＤ１〜ＭＤ３が記憶されているが、実際には多数（例えば、数万〜数十万程度）の背景音楽データが記憶されている。
【００３５】
管理装置１０Ａの管理用コンピュータ２２Ａは、配信サーバ装置２０Ａに対して複数の背景音楽データＭＤ１〜ＭＤ３のうち特定の背景音楽データを配信要求する配信要求手段４４を更に有している。また、管理サーバ装置２０Ａは、複数の音声データＶＤ１〜ＶＤ３が記憶された音声データベース２６（記憶手段を構成する）と、複数のテキストデータＴＤ１〜ＴＤ３が記憶されたテキストデータベース２８と、を有している。
【００３６】
次に、図７をも参照して、本実施形態の学習システム２Ａの動作の流れについて説明する。上記実施形態と同様にしてステップＳ２１、Ｓ２２が行われた後に、ユーザ４が端末装置６を用いてシステム管理会社２４のホームページにアクセスし、ＩＤ及びパスワードを入力してログインすると、語学教材の申し込みページ（図示せず）がブラウザ上に表示される。この申し込みページには、語学教材の選択欄及び背景音楽の入力欄が表示される。背景音楽の入力欄では、アーティスト名やＣＤアルバムのタイトルなどが入力可能となっている。
【００３７】
ユーザ４が端末装置６を用いて、例えば、語学教材の選択欄よりビジネス英会話の語学教材を選択操作するとともに、背景音楽の入力欄にてアーティスト名（例えば、「ベートーベン」）やＣＤアルバムのタイトル（例えば、「ベートーベン作品集」）などを入力操作すると（ステップＳ２３）、管理装置１０Ａのデータ選択手段３２は、音声データベース２６に記憶された音声データＶＤ３と、テキストデータベース２８に記憶されたテキストデータＴＤ３と、を選択する（ステップＳ２４）。また、管理装置１０Ａの配信要求手段４４は、配信サーバ装置３８に対して、入力されたアーティスト名やＣＤアルバムのタイトルなどとマッチングする背景音楽データＭＤ１を配信要求する（ステップＳ２５）。
【００３８】
配信サーバ装置３８の制御部４２は、配信要求手段４４からの配信要求を受けると、データベース４０に記憶された複数の背景音楽データＭＤ１〜ＭＤ３より配信要求された背景音楽データＭＤ１を検索し（ステップＳ２６）、検索して得られた背景音楽データＭＤ１をネットワーク８を介して管理装置１０Ａに配信する（ステップＳ２７）。
【００３９】
語学教材データ作成手段３４は、データ選択手段３２により選択された音声データＶＤ３及び配信サーバ装置３８より配信された背景音楽データＭＤ１を合成して語学教材データを作成する（ステップＳ２８）。データ送信手段３６は、このように作成された語学教材データ及びテキストデータＴＤ３をネットワーク８を介して端末装置６に送信する（ステップＳ２９）。従って、本実施形態の学習システム２Ａにおいても、上述したのと同様の作用効果が達成される。
【００４０】
以上、本発明に従う学習システムの一実施形態について説明したが、本発明はかかる実施形態に限定されるものではなく、本発明の範囲を逸脱することなく種々の変形乃至修正が可能である。
【００４１】
例えば、上記各実施形態では、作成された語学教材データを語学教材データ送信手段３４によりネットワーク８を介して端末装置６に送信するようにしたが、作成された語学教材データをＣＤ−ＲＯＭなどに書き込み、このＣＤ−ＲＯＭなどをユーザ４に提供するようにしてもよい。
【００４２】
また例えば、上記各実施形態では、端末装置６をパソコン１２などから構成したが、例えば携帯電話機などの携帯端末装置から構成してもよい。
【図面の簡単な説明】
【００４３】
【図１】本発明の一実施形態による学習システムを示す概念図である。
【図２】図１の学習システムの構成を示すブロック図である。
【図３】語学教材データの構成を説明するための図である。
【図４】図１の学習システムの動作の流れを示すフローチャートである。
【図５】本発明の他の実施形態による学習システムを示す概念図である。
【図６】図５の学習システムの構成を示すブロック図である。
【図７】図５の学習システムの動作の流れを示すフローチャートである。
【符号の説明】
【００４４】
２，２Ａ  学習システム
４  ユーザ
６  端末装置
８  ネットワーク
１０，１０Ａ  管理装置
２６  音声データベース
３０  背景音楽データベース
３４  語学教材データ作成手段
３６  データ送信手段
３８  配信サーバ装置
４４  配信要求手段
【図１】
2010128284.tif 000003
【図２】
2010128284.tif 000004
【図３】
2010128284.tif 000005
【図４】
2010128284.tif 000006
【図５】
2010128284.tif 000007
【図６】
2010128284.tif 000008
【図７】
2010128284.tif 000009